(57)【要約】【課題】  複数人で立体映像を観察する場合、１組の基準画像及び副画像を視聴する１サイクルの間に表示するフレーム画像数の増加を抑え、動きのなめらかな映像の表示を可能にする。【解決手段】  左目用画像または右目用画像のどちらか一方を基準画像とし、他方の画像を副画像としたとき、複数人が１組の基準画像及び副画像を視聴する１サイクルの間に、複数の副画像をそれぞれ１回ずつ表示し、基準画像を複数の副画像の表示回数より少ない回数だけ表示する制御を行う。【選択図】  図３
2011146869.tif 000002
【特許請求の範囲】
【請求項１】
表示部に立体視可能に表示される左目用画像及び右目用画像の切り替えのタイミングに合わせて、それぞれ左目用シャッタ及び右目用シャッタが制御される複数のシャッタ眼鏡を用いて複数人が前記表示部の映像を視聴する映像視聴装置において、
左目用画像または右目用画像のどちらか一方を基準画像とし、他方の画像を副画像とし、前記複数のシャッタ眼鏡に共通の基準画像及び前記複数のシャッタ眼鏡に対応する複数の副画像を前記表示部に時分割で切り替えて表示する制御を行う表示制御手段と、
前記表示部に前記基準画像が表示されている期間は、前記複数のシャッタ眼鏡のそれぞれに対して、左目用シャッタ及び右目用シャッタのうち前記基準画像に対応した一方のシャッタを透過状態にして、他方のシャッタを遮光状態にし、前記表示部に前記副画像が表示されている期間は、前記複数のシャッタ眼鏡のそれぞれに対して、左目用シャッタ及び右目用シャッタのうち前記副画像に対応した一方のシャッタを透過状態にして、他方のシャッタを遮光状態にする制御を行うシャッタ制御手段と、を有し、
前記表示制御手段は、前記複数人が１組の基準画像及び副画像を視聴する１サイクルの間に、前記複数の副画像をそれぞれ１回ずつ表示し、前記基準画像を前記複数の副画像の表示回数より少ない回数だけ表示する制御を行うことを特徴とする映像視聴装置。
【請求項２】
前記表示制御手段は、前記複数人が１組の基準画像及び副画像を視聴する１サイクルの間に、基準画像を１回表示することを特徴とする請求項１に記載の映像視聴装置。
【請求項３】
前記表示制御手段は、前記表示部に時分割で切り替えて表示する制御を行う前記副画像が所定数以上の場合には、前記複数人が１組の基準画像及び副画像を視聴する１サイクルの間に、基準画像を２回表示することを特徴とする請求項１に記載の映像視聴装置。
【請求項４】
前記複数のシャッタ眼鏡それぞれの傾き角を検知する傾き検知手段と、
前記複数のシャッタ眼鏡に対応する複数の副画像を生成する生成手段とを有し、
前記生成手段は、前記複数のシャッタ眼鏡におけるそれぞれの傾き角の方向に視差量を有する副画像を生成することを特徴とする、請求項１乃至３に記載の映像視聴装置。
【請求項５】
前記複数のシャッタ眼鏡と前記表示部とのそれぞれの距離の検知を行う距離検知手段と、
前記複数のシャッタ眼鏡に対応する複数の副画像を生成する生成手段とを有し、
前記生成手段は、前記複数のシャッタ眼鏡のそれぞれと前記表示部との距離に応じた視差量を有する副画像を生成することを特徴とする、請求項１乃至３に記載の映像視聴装置。
【請求項６】
表示部に立体視可能に表示される左目用画像及び右目用画像の切り替えのタイミングに合わせて、それぞれ左目用シャッタ及び右目用シャッタが制御される複数のシャッタ眼鏡を用いて複数人が前記表示部の映像を視聴する映像視聴装置において、
前記複数のシャッタ眼鏡それぞれの傾き角を検知する傾き検知手段と、
前記傾き検知手段で検知した傾き角を、予め定められた複数の区間の角度範囲と比較して、前記傾き角を対応する区間に分類し、分類された区間の代表値を出力する傾き比較手段と、
左目用画像または右目用画像のどちらか一方を基準画像とし、他方の画像を副画像とし、前記傾き比較手段から出力された代表値に対応する角度の方向に視差量を有する副画像を、前記傾き比較手段から出力された前記代表値の数だけ生成する生成手段と
前記複数のシャッタ眼鏡に共通の基準画像及び前記代表値に対応する副画像を前記表示部に時分割で切り替えて表示する制御を行う表示制御手段と、
前記表示部に前記基準画像が表示されている期間は、前記複数のシャッタ眼鏡のそれぞれに対して、左目用シャッタ及び右目用シャッタのうち前記基準画像に対応した一方のシャッタを透過状態にして、他方のシャッタを遮光状態にし、前記表示部に前記副画像が表示されている期間は、前記複数のシャッタ眼鏡のそれぞれに対して、左目用シャッタ及び右目用シャッタのうち前記副画像に対応した一方のシャッタを透過状態にして、他方のシャッタを遮光状態にする制御を行うシャッタ制御手段と、を有し、
前記表示制御手段は、前記複数人が１組の基準画像及び副画像を視聴する１サイクルの間に、前記代表値に対応する副画像をそれぞれ１回ずつ表示し、前記基準画像を前記代表値に対応する副画像の表示回数より少ない回数だけ表示する制御を行うことを特徴とする映像視聴装置。
【請求項７】
表示部に立体視可能に表示される左目用画像及び右目用画像の切り替えのタイミングに合わせて、それぞれ左目用シャッタ及び右目用シャッタが制御される複数のシャッタ眼鏡を用いて複数人が前記表示部の映像を視聴する映像視聴装置の制御方法において、
左目用画像または右目用画像のどちらか一方を基準画像とし、他方の画像を副画像とし、前記複数のシャッタ眼鏡に共通の基準画像及び前記複数のシャッタ眼鏡に対応する複数の副画像を前記表示部に時分割で切り替えて表示する制御を行う表示制御工程と、
前記表示部に前記基準画像が表示されている期間は、前記複数のシャッタ眼鏡のそれぞれに対して、左目用シャッタ及び右目用シャッタのうち前記基準画像に対応した一方のシャッタを透過状態にして、他方のシャッタを遮光状態にし、前記表示部に前記副画像が表示されている期間は、前記複数のシャッタ眼鏡のそれぞれに対して、左目用シャッタ及び右目用シャッタのうち前記副画像に対応した一方のシャッタを透過状態にして、他方のシャッタを遮光状態にする制御を行うシャッタ制御工程と、を有し、
前記表示制御工程は、前記複数人が１組の基準画像及び副画像を視聴する１サイクルの間に、前記複数の副画像をそれぞれ１回ずつ表示し、前記基準画像を前記複数の副画像の回数より少ない表示回数だけ表示する制御を行うことを特徴とする映像視聴装置の制御方法。
【発明の詳細な説明】
【技術分野】
【０００１】
本発明は、３Ｄ映像視聴を可能とする映像視聴装置及びその制御方法に関するものである。
【背景技術】
【０００２】
従来から、左右の目の視差により立体を認識するという視覚の特性を利用した立体画像表示装置が知られている。このような立体画像表示装置では、右目に右目用画像を、左目に左目用画像を見させることで、擬似的に３次元（以下３Ｄ）映像を視聴可能にする。眼鏡を用いた視聴方式としては、左眼用画像及び右目用画像を時分割表示し、シャッタ眼鏡を用いて左右の目に異なる映像を見せる時分割方式が実用化されている。
【０００３】
時分割方式では、透過状態（開状態）と遮光状態（閉状態）とを切り替え可能な左目用シャッタ及び右目用シャッタを設けたシャッタ眼鏡を用いて立体視を行う。左目用シャッタ及び右目用シャッタは独立に開閉可能であり、表示装置に左目用画像を表示している間は左目用シャッタを開いて右目用シャッタを閉じ、右目用画像を表示している間は右目用シャッタを開いて左目用シャッタを閉じると、擬似的な３Ｄ映像が視聴可能となる。
【０００４】
上記時分割方式を応用した技術として、特許文献１には、複数人で異なる立体画像を観察する場合でも、全ユーザが立体視を可能になる技術が開示されている。複数の映像ソースから入力された左目用画像及び右目用画像を順次表示し、それらに同期して各画像を観察したいユーザのシャッタ眼鏡の左目用シャッタ及び右目用シャッタを制御する。このようにすることにより、複数人で異なる立体映像を観察することが可能となる。
【０００５】
また、特許文献２には、シャッタ眼鏡の傾きを検出し、傾きに応じた副画像を表示することにより、ユーザが望む角度から物体を鑑賞することができ、より自然な立体像を表示することができる技術が開示されている。
【先行技術文献】
【特許文献】
【０００６】
【特許文献１】特開２００１−７５０４７号公報
【特許文献２】特開２００６−０８４９６３号公報
【発明の概要】
【発明が解決しようとする課題】
【０００７】
従来は、複数人で異なる立体映像を観察する場合、すべてのユーザが１組の基準画像及び副画像を視聴する１サイクルの間に、ユーザの人数（眼鏡の個数）の２倍、又は映像種類の数の２倍に相当するフレーム画像数を表示部に表示する必要があった。例えば３人でそれぞれ異なる映像を視聴する場合や、３人各々が使用するシャッタ眼鏡の傾き等の視聴環境に応じた映像を表示する場合、３人それぞれに１組の左目用画像及び右目用画像が必要なので、６枚のフレーム画像を１サイクルの間に表示する必要がある。１人のユーザが立体映像を観察する場合には、１サイクルの期間をＴとすると、１サイクルの間にユーザの片目（例えば左目）が映像を観察する期間はＴ／２、該片目が映像を観察しない期間はＴ／２となる。該片目が映像を観察しない期間は、他方の目（例えば右目）が映像を観察しており、１サイクルの間、右目・左目のどちらかの目は映像を観察していることになる。
【０００８】
これに対し、ユーザが３人で異なる立体映像を観察し、１サイクルの間に６枚のフレーム画像を表示するとする。この場合、１人のユーザの片目（例えば左目）が映像を観察する期間はＴ／６、該片目が映像を観察しない期間は５Ｔ／６、右目・左目のどちらも映像を観察しない期間は４Ｔ／６存在する。よって、１サイクルの間に表示するフレーム画像数が増加すればするほど、ユーザが右目・左目共に映像を観察しない時間が増え、動きのなめらかな映像の観察が困難になるという課題がある。
【０００９】
そこで本発明は、複数人で立体映像を観察する場合、１組の基準画像及び副画像を視聴する１サイクルの間に表示するフレーム画像数の増加を抑え、動きのなめらかな映像の表示を可能にすることを目的とする。
【課題を解決するための手段】
【００１０】
上記目的を達成するために、本発明の映像視聴装置は、表示部に立体視可能に表示される左目用画像及び右目用画像の切り替えのタイミングに合わせて、それぞれ左目用シャッタ及び右目用シャッタが制御される複数のシャッタ眼鏡を用いて複数人が前記表示部の映像を視聴する映像視聴装置であって、左目用画像または右目用画像のどちらか一方を基準画像とし、他方の画像を副画像とし、前記複数のシャッタ眼鏡に共通の基準画像及び前記複数のシャッタ眼鏡に対応する複数の副画像を前記表示部に時分割で切り替えて表示する制御を行う表示制御手段と、前記表示部に前記基準画像が表示されている期間は、前記複数のシャッタ眼鏡のそれぞれに対して、左目用シャッタ及び右目用シャッタのうち前記基準画像に対応した一方のシャッタを透過状態にして、他方のシャッタを遮光状態にし、前記表示部に前記副画像が表示されている期間は、前記複数のシャッタ眼鏡のそれぞれに対して、左目用シャッタ及び右目用シャッタのうち前記副画像に対応した一方のシャッタを透過状態にして、他方のシャッタを遮光状態にする制御を行うシャッタ制御手段と、を有し、前記表示制御手段は、前記複数人が１組の基準画像及び副画像を視聴する１サイクルの間に、前記複数の副画像をそれぞれ１回ずつ表示し、前記基準画像を前記複数の副画像の表示回数より少ない回数だけ表示する制御を行うことを特徴とする。
【発明の効果】
【００１１】
以上説明したように、本発明によれば、複数人で立体映像を観察する場合、１サイクルの間に表示するフレーム画像数の増加を抑えて、動きのなめらかな映像の表示が可能にする。
【図面の簡単な説明】
【００１２】
【図１】実施例１に係る映像視聴装置の構成を表すブロック図である。
【図２】シャッタ眼鏡の傾き角に応じた副画像の概念図である。
【図３】実施例１における、基準画像及び副画像の出力順と、シャッタ眼鏡の動作を制御するシャッタ制御信号を表したタイミングチャートである。
【図４】基準画像及び副画像の出力順を示した図である。
【図５】実施例２に係る映像視聴装置の構成を表すブロック図である。
【図６】実施例２における、基準画像及び副画像の出力順と、シャッタ眼鏡の動作を制御するシャッタ制御信号を表したタイミングチャートを示す。
【図７】傾き角を分類するための区間と、各区間における代表値を示す図である。
【発明を実施するための形態】
【００１３】
以下、添付図面を参照して、本発明の実施例を説明する。
【００１４】
（実施例１）
図１は、本発明の実施例１に係る映像視聴装置の構成を表すブロック図である。本実施例では、３人のユーザ（ユーザＡ、ユーザＢ、ユーザＣ）が同期間に同一コンテンツを観察している例を示す。右目用画像を基準画像、左目用画像を副画像とする（以降の実施例でも同様である）。表示部に基準画像が表示されている期間は、シャッタ眼鏡の右目用シャッタを透過状態に、左目用シャッタを遮光状態にする。また、副画像が表示されている期間は、シャッタ眼鏡の右目用シャッタを遮光状態にし、左目用シャッタを透過状態にする。
【００１５】
本実施例における映像視聴装置は、映像入力部１０１、表示制御部１０２、シャッタ制御部１０３、信号送信部１０４、表示部１０５、シャッタ眼鏡１１１〜１１３、傾き検知部１２１〜１２３、副画像生成部１３１〜１３３からなる。映像入力部１０１は、３Ｄ映像コンテンツデータを構成する映像ストリームデータが入力される。入力される映像ストリームデータは、例えば放送波を受信して復調処理を行い、映像や音声が多重化された３Ｄ映像コンテンツデータやネットワーク経由で取得したコンテンツデータをＴＳ分離してからデコードされることにより得られる。または、ＤＶＤ等のメディアに蓄積したものから映像ストリームデータとして読み出す。映像入力部１０１に入力される映像ストリームデータの取得方法は、上記の方法又は経路に限定される必要はなく、同様の映像ストリームデータが取得できる方法又は経路であればよい。
【００１６】
ここで映像ストリームデータは、擬似的に立体視可能となる基準画像データと副画像データの少なくともどちらか一方を含む。映像ストリームデータが基準画像データ及び副画像データからなる場合には、基準画像データ及び副画像データを順次表示部に表示することで立体視可能な映像となる。映像ストリームデータに例えば副画像データが含まれない場合には、基準画像データを元に副画像データを生成する。２次元（２Ｄ）画像である基準画像データから、立体視可能な３Ｄの副画像データを生成する方法としては、基準画像データを解析し、基準画像に含まれるオブジェクト等の対象物や背景の遠近感から決定した各対象物の視差量を用いて、副画像データを生成する方法がある。各対象物の視差量は基準画像データに付与されたメタデータ等から取得してもよい。副画像データの生成方法は上記の方法に限定される必要はなく、立体視可能な副画像データを生成できる方法であれば良い。映像入力部１０１は、基準画像データを表示制御部１０２に出力し、副画像データを副画像生成部１３１〜１３３にそれぞれ出力する。
【００１７】
傾き検知部１２１〜１２３は、シャッタ眼鏡１１１〜１１３の傾き角を検知し、傾き角情報を副画像生成部１３１〜１３３にそれぞれ出力する。本発明において、映像の表示装置の設置面に対する水平方向を基準方向とする。また、シャッタ眼鏡における右目用シャッタと左目用シャッタのそれぞれの中心を結ぶ方向を眼幅方向とし、シャッタ眼鏡の傾き角とは、基準方向と眼幅方向とのなす角を指す。シャッタ眼鏡の傾き角の検知方法は、公知の技術を用いることができる。例えば、ジャイロセンサや加速度センサ等の傾きを検出するセンサをシャッタ眼鏡に設けセンサの信号を受信する方法や、シャッタ眼鏡をカメラで撮影し、撮影画像からシャッタ眼鏡のフレームを検出して基準方向からの傾き角を求める方法、左右の目の位置を検出して左右の目を結ぶ線と基準方向とのなす角を求める方法等がある。
【００１８】
副画像生成部１３１〜１３３は、映像入力部１０１から取得した副画像データと傾き検知部１２１〜１２３から取得したそれぞれの傾き角情報を用いて、シャッタ眼鏡１１１〜１１３のそれぞれの傾き角に応じた副画像データを生成する。副画像生成部１３１〜１３３における副画像データの生成方法については後述する。副画像生成部１３１〜１３３で生成された副画像データはそれぞれ表示制御部１０２に出力される。
【００１９】
表示制御部１０２は、映像入力部１０１から出力された基準画像データ及び副画像生成部１３１〜１３３それぞれから出力された副画像データを取得し、基準画像及び副画像を時分割に切り替えて表示部１０５に出力する。表示部１０５に表示する基準画像及び副画像の出力順については後述する。表示部１０５に出力する画像を切り替える制御に関する表示制御信号は、表示制御部１０２からシャッタ制御部１０３に出力される。シャッタ制御部１０３は、表示制御信号に同期したシャッタ眼鏡１１１〜１１３の右目シャッタ及び左目シャッタの透過状態又は遮光状態を制御するためのシャッタ制御信号を生成する。生成されたシャッタ制御信号は、信号送信部１０４に出力され、シャッタ眼鏡のシャッタを制御するために用いられる。
【００２０】
ここで、副画像生成部１３１〜１３３における副画像データの生成方法について説明する。副画像生成部１３１〜１３３では，シャッタ眼鏡１１１〜１１３の傾き角をそれぞれ検知する傾き検知部１２１〜１２３が出力した傾き角情報を用いて副画像データを生成する。例えば図示していない３人のユーザがそれぞれ装着しているシャッタ眼鏡１１１、シャッタ眼鏡１１２、シャッタ眼鏡１１３が、装着しているユーザから見て右回り方向へ、それぞれ基準方向から０度、４５度、９０度傾いている場合を考える。図２に、シャッタ眼鏡の傾き角に応じた副画像の概念図を示す。点線で示したものが基準画像、実線で示したものが副画像である。
【００２１】
例えば、１組の基準画像と副画像におけるある対象物の視差量が１０であったとする。シャッタ眼鏡が基準方向に対して傾いていない（０度）の場合は、図２（ａ）のように、互いに対応する基準画像内の対象物と副画像内の対象物とは、基準方向と平行に視差量１０だけずれるように表示される副画像を生成する。シャッタ眼鏡が基準方向から４５度傾いている場合は、図２（ｂ）のように、互いに対応する基準画像内の対象物と副画像内の対象物とは、基準方向に対して４５度の角度をなす方向に視差量１０だけずれるように表示される副画像データを生成する。シャッタ眼鏡が基準方向から９０度傾いている場合は、図２（ｃ）のように、互いに対応する基準画像内の対象物と副画像内の対象物とは、基準方向に対して９０度の角度をなす方向、つまり基準方向と垂直な方向に視差量１０だけずれるように表示される副画像データを生成する。上記のような副画像データの生成方法としては、基準画像に対する副画像の表示位置をずらす方法や、画像内に含まれる各対象物の位置を個別にシャッタ眼鏡の傾き角に応じて移動させた副画像データを生成する方法がある。生成する副画像としては、シャッタ眼鏡の傾き角に応じて、基準画像と１組で擬似的に立体視可能な画像であれば生成方法は問わない。例えば、特許文献２に記載されているように、シャッタ眼鏡の傾き角に応じて生成する視差画像を副画像としてもよい。
【００２２】
次に、表示部１０５に出力する基準画像及び副画像の出力順について説明する。図３に、基準画像及び副画像の出力順と、シャッタ眼鏡１１１〜１１３の動作を制御するシャッタ制御信号を表したタイミングチャートを示す。副画像生成部１３１で生成された副画像を副画像Ａ、副画像生成部１３２で生成された副画像を副画像Ｂ、副画像生成部１３３で生成された副画像を副画像Ｃとする。
【００２３】
シャッタ眼鏡１１１〜１１３を装着した３人のユーザすべてが１組の基準画像及び副画像を視聴する１サイクルの間に表示する画像は、映像視聴する複数のユーザに共通の基準画像１枚と副画像Ａ、副画像Ｂ、及び副画像Ｃの副画像３枚であり、計４枚となる。よって、表示部に１枚の画像が表示されている期間は、最大で１／４サイクルの間となる。表示部１０５に基準画像が表示されている期間は、３人すべてのシャッタ眼鏡１１１〜１１３の右目用シャッタを透過状態にして、左目用シャッタを遮光状態にするようにシャッタの制御を行う。副画像Ａが表示されている期間は、シャッタ眼鏡１１１の左目用シャッタを透過状態にし、シャッタ眼鏡１１１の右目用シャッタ、及びシャッタ眼鏡１１２とシャッタ眼鏡１１３の右目用シャッタ及び左目用シャッタを遮光状態にするようにシャッタの制御を行う。副画像Ｂが表示されている期間は、シャッタ眼鏡１１２の左目用シャッタを透過状態にし、シャッタ眼鏡１１２の右目用シャッタ、及びシャッタ眼鏡１１１とシャッタ眼鏡１１３の右目用シャッタ及び左目用シャッタを遮光状態にするようにシャッタの制御を行う。副画像Ｃが表示されている期間は、シャッタ眼鏡１１３の左目用シャッタを透過状態にし、シャッタ眼鏡１１３の右目用シャッタ、及びシャッタ眼鏡１１１とシャッタ眼鏡１１２の右目用シャッタ及び左目用シャッタを遮光状態にするようにシャッタの制御を行う。
【００２４】
図３に示すように、１サイクルの間に表示する画像が４枚の場合、１サイクルが１／６０秒だとすると、１枚の画像の表示機関は１／２４０秒となる。シャッタ眼鏡１１１を装着するユーザＡが左目で副画像Ａを観察してから、右目で基準画像を観察するまでの間隔は１／２４０秒、右目で基準画像を観察してから左目で次のサイクルの副画像Ａを観察するまでの間隔も１／２４０秒である。シャッタ眼鏡１１２を装着するユーザＢが左目で副画像Ｂを観察してから、右目で基準画像を観察するまでの間隔は０秒、右目で基準画像を観察してから左目で次のサイクルの副画像Ｂを観察するまでの間隔は２／２４０秒である。シャッタ眼鏡１１３を装着するユーザＣが右目で基準画像を観察してから左目で副画像Ｃを観察するまでの間隔は０秒、左目で副画像Ｃを観察してから、右目で次のサイクルの基準画像を観察するまでの間隔は２／２４０秒である。
【００２５】
例えば、同じ１サイクルにおいて右目で基準画像を観察してから左目で副画像を観察するまでの時間間隔が、左目で副画像を観察してから次の１サイクルの基準画像を右目で観察するまでの時間間隔以下であれば、同じ１サイクルにおける基準画像及び副画像を１組の映像として認識でき立体視が可能である。
【００２６】
本実施例では、１サイクルの画像を副画像Ａ、副画像Ｂ、基準画像、副画像Ｃの順に表示させているが、別の順序で表示させても良い。例えば、副画像Ａ、副画像Ｂ、副画像Ｃ、基準画像の順に表示させてもよい。また、視聴する人数が増加し、副画像が所定数以上の場合、図４のように１サイクルにおいて基準画像を観察してから副画像を観察するまでの時間を短縮させるため、基準画像を２回表示してもよい。基準画像の表示回数は、複数の副画像の表示回数より少ない回数ならよい。例えば副画像が３枚以上の場合、基準画像は、１サイクルの間に、副画像を挟んで２回（２期間）表示する。例えば副画像が４枚の場合、副画像Ａ、基準画像、副画像Ｂ、副画像Ｃ、基準画像、副画像Ｄの順に、１サイクルの間に１枚の基準画像を２回、４枚の副画像をそれぞれ１回ずつ、１枚の画像につき１／５サイクルの期間ずつ表示させる。視聴する人数が増加した場合、１サイクルに１回しか基準画像を表示しないと、１ユーザが基準画像と副画像とを視聴する時間間隔に大きな違いが出てきてしまい、同じ１サイクルにおける基準画像及び副画像を１組の映像として認識できないことがある。例えば、同じ１サイクルにおいて基準画像を観察してから副画像を観察するまでの時間間隔が、副画像を観察してから次の１サイクルの基準画像を観察するまでの時間間隔より大きいと、誤って異なるサイクルの副画像と基準画像を１組の映像と認識してしまう。そこで、視聴する人数に応じて、１サイクルの間に基準画像を表示する回数を増やすようにすると、ユーザが同じ１サイクルにおける基準画像及び副画像を１組の映像として認識しやすくなり、正しい立体視が可能である。
【００２７】
本実施例においては、シャッタ眼鏡の傾き角を検知し、傾き角に応じた副画像を生成する構成になっているが、シャッタ眼鏡１１１〜１１３と表示部１０５との距離を検知する距離検知部を設け、検知した距離に応じた副画像を生成してもよい。映像内の物体の飛び出し量は、視聴する位置であるシャッタ眼鏡の位置と表示部の位置との距離によって変化し、場合によってはユーザが不快感を感じたり、きちんと立体視できなくなったりする。よって、１組の基準画像と副画像内における物体の、眼幅方向の画像のずれ量である視差量を、シャッタ眼鏡と表示部との距離に応じて調節した副画像を生成して、ユーザが知覚する物体の立体感を調節してもよい。
【００２８】
また、ユーザそれぞれが所望する視差量を予め設定できる設定手段を設け、ユーザそれぞれの好みに合った視差量の副画像を生成して、ユーザが知覚する物体の立体感を調整してもよい。設定手段は例えば、視聴する映像における最大視差量や平均視差量を設定する。副画像生成手段は、基の映像における視差量を、ユーザが設定した最大視差量や平均視差量に応じて変更し、ユーザの好みに合った視差量を有する副画像を生成する。
【００２９】
以上のように本実施例によれば、１サイクルの間に表示するフレーム画像数が、複数人のそれぞれに基準画像及び副画像の２枚必要である場合と比較して少ないフレーム画像数で立体視を実現できる。本発明において、例えば上記実施例のように、３人のユーザに対し、１サイクルの間に基準画像１枚副画像３枚の計４枚を表示するとする。１サイクルを１／６０秒とすると、１サイクルの間に、１人のユーザの片目（例えば左目）が映像を観察する期間は１／２４０秒、該片目が映像を観察しない期間は３／２４０秒、右目・左目のどちらも映像を観察しない期間は２／２４０秒存在する。一方３人のユーザそれぞれに対し、１サイクルの間に基準画像及び副画像が２枚ずつ必要な場合は、１サイクルの間に６枚の画像を表示する必要がある。１サイクルを上記と同様に１／６０秒とすると、１人のユーザの片目（例えば左目）が映像を観察する期間は１／３６０秒、該片目は５／３６０秒の期間は映像を観察せず、右目・左目のどちらも映像を観察しない期間が４／３６０秒存在する。このように本発明は、１サイクルの間に表示するフレーム画像数の増加を抑えることにより、ユーザが右目・左目共に映像を観察しない期間の増加を抑えることができるため、動きのなめらかな映像の表示が可能となる。また、副画像はシャッタ眼鏡の傾きに応じて生成されるため、ユーザそれぞれの視聴環境にあった映像を観察できる。
【００３０】
（実施例２）
図５は、本発明の実施例２に係る映像視聴装置の構成を表すブロック図である。本実施例では４人のユーザを想定し、シャッタ眼鏡４１１〜４１４、傾き検知部４２１〜４２４、副画像生成部４３１〜４３４及び傾き比較部４０１を有する。シャッタ眼鏡４１１〜４１４、傾き検知部４２１〜４２４、副画像生成部４３１〜４３４は、図１におけるシャッタ眼鏡１１１〜１１３、傾き検知部１２１〜１２３、副画像生成部１３１〜１３３とそれぞれ同様の機能を有する。
【００３１】
傾き比較部４０１に、傾き検知部４２１〜４２４それぞれで検出されたシャッタ眼鏡の傾き角情報が入力されると、各傾き角を比較し、同じ値を持つものがあるかを調べる。２つ以上のシャッタ眼鏡の傾き角が同じ値である場合、傾き比較部４０１から副画像生成部に出力される傾き角情報は、シャッタ眼鏡の個数より（傾き角が同じ値のシャッタ眼鏡の個数−１）だけ少なくなる。全てのシャッタ眼鏡の傾き角情報が同じであった場合は、傾き比較部４０１からは傾き角情報が１つのみ出力される。副画像生成部４３１〜４３４は、傾き比較部４０１から出力された傾き角情報に応じた副画像を生成し、表示制御部１０２に出力するが、傾き角情報が入力されない場合には副画像は生成しない。
【００３２】
例えば、ユーザ４人が装着しているシャッタ眼鏡４１１〜４１４の傾き角を検知する、傾き検知部４２１〜４２４から出力された傾き角情報のうち、傾き検知部４２１及び４２２での傾き角が同じ値で、傾き検知部４２３での傾き角と傾き検知部４２４での傾き角とは異なっていて、傾き角情報は３種類あったとする。この場合、傾き比較部４０１から出力される傾き角情報は、傾き検知部４２１及び４２２での同一の傾き角、傾き検知部４２３での傾き角、傾き検知部４２４での傾き角の３種類の傾き角情報からなる。３種類の傾き角情報は、副画像生成部４３１〜４３３に出力される。副画像生成部４３１では傾き検知部４２１及び４２２での傾き角に応じた副画像が、副画像生成部４３２では傾き検知部４２３での傾き角に応じた副画像が、副画像生成部４３３では傾き検知部４２４での傾き角に応じた副画像がそれぞれ生成される。副画像生成部４３４には傾き角情報が入力されないので、副画像を生成しない。副画像の生成方法は実施例１と同様である。映像入力部１０１から入力された基準画像及び副画像生成部４３１〜４３３でそれぞれ生成された副画像が表示制御部１０２に入力される。表示制御部１０２は、入力された基準画像及び副画像を時分割に切り替えて表示部１０５に出力する。
【００３３】
傾き比較部４０１は、各副画像生成部に出力する傾き角情報が何れの傾き検知部から出力されたものであるかを示す対応情報を、表示制御部１０２に出力する。表示制御部１０２は、傾き比較部４０１から出力された対応情報に基づいて、表示部１０５に出力する画像を切り替える制御に関する表示制御信号を生成する。生成された表示制御信号は、表示制御部１０２からシャッタ制御部１０３に出力される。シャッタ制御部１０３は、表示制御信号に同期したシャッタ眼鏡４１１〜４１４の右目シャッタ及び左目シャッタの透過状態又は遮光状態を制御するためのシャッタ制御信号を生成する。生成されたシャッタ制御信号は、信号送信部１０４に出力され、シャッタ眼鏡のシャッタを制御するために用いられる。
【００３４】
図６に、実施例２における基準画像及び副画像の出力順と、シャッタ眼鏡４１１〜４１４の動作を制御するシャッタ制御信号を表したタイミングチャートを示す。副画像生成部４３１で生成された副画像を副画像Ｄ、副画像生成部４３２で生成された副画像を副画像Ｅ、副画像生成部４３３で生成された副画像を副画像Ｆとする。
【００３５】
シャッタ眼鏡４１１〜４１４を装着した４人のユーザすべてが１組の基準画像及び副画像を視聴する１サイクルの間に表示する画像は、基準画像１種類と副画像Ｄ、副画像Ｅ、及び副画像Ｆの副画像３枚であり、計４枚となる。表示部１０５に基準画像が表示されている期間は、４人すべてのシャッタ眼鏡４１１〜４１４の右目用シャッタを透過状態にして、左目用シャッタを遮光状態にするようにシャッタの制御を行う。
【００３６】
副画像Ｄが表示されている期間は、シャッタ眼鏡４１１及びシャッタ眼鏡４１２の左目用シャッタを透過状態にし、シャッタ眼鏡４１１及びシャッタ眼鏡４１２右目用シャッタ、及びシャッタ眼鏡４１３とシャッタ眼鏡４１４の右目用シャッタ及び左目用シャッタを遮光状態にするようにシャッタの制御を行う。副画像Ｅが表示されている期間は、シャッタ眼鏡４１３の左目用シャッタを透過状態にし、シャッタ眼鏡４１３の右目用シャッタ、及びシャッタ眼鏡４１１、シャッタ眼鏡４１２、シャッタ眼鏡４１４の右目用シャッタ及び左目用シャッタを遮光状態にするようにシャッタの制御を行う。副画像Ｆが表示されている期間は、シャッタ眼鏡４１４の左目用シャッタを透過状態にし、シャッタ眼鏡４１４の右目用シャッタ、及びシャッタ眼鏡４１１、シャッタ眼鏡４１２、とシャッタ眼鏡４１３の右目用シャッタ及び左目用シャッタを遮光状態にするようにシャッタの制御を行う。
【００３７】
本実施例では、傾き比較部４０１にて傾き検知部４２１〜４２４での傾き角情報が同じか否かを比較している。ただし、傾き角情報が同じであることに限定されるものではなく、傾き角情報を複数の区間に分類して、傾き比較部４０１に入力された傾き角情報のうち、同じ区間のものがあるか否かを判定するようにしても良い。
【００３８】
例えば、図７のように、基準方向を０度として、ユーザから見て左回りをプラス、右回りをマイナスとした−９０度〜９０度の角度範囲を区間Ａ〜Ｅの５つの角度範囲に分割する。これら各区間の代表値を、例えば、−２２．５〜２２．５度の区間では０度、２２．５〜６７．５度の区間では４５度、６７．５〜９０度の区間では９０度とする。シャッタ眼鏡の傾き角を５つの区間に分類し、分類された各区間の代表値が傾き比較部４０１から各副画像生成部に出力される。具体的に、傾き検知部４２１での傾き角が−５度、傾き検知部４２２での傾き角が２５度、傾き検知部４２３での傾き角が５５度、傾き検知部４２４での傾き角が７０度であったとする。この場合、４つの傾き角は、区間Ａ、区間Ｂ、区間Ｃに分類される。このとき、傾き比較部４０１は、区間Ａ、区間Ｂ、区間Ｃそれぞれの代表値０度、４５度、９０度の３つを傾き角情報として副画像生成部４３１〜４３３へそれぞれ出力する。副画像生成部４３１〜４３３は、入力された傾き角の代表値に応じた副画像を生成するが、予め各代表値に応じた副画像群を映像入力部１０１から取得し、取得した副画像群の中から、入力された傾き角に応じた画像を選んで副画像として出力する構成でもよい。
【００３９】
以上のように本実施例によれば、実施例１と同様に、１サイクルの間に表示するフレーム画像数が、複数人それぞれに基準画像及び副画像の２枚である場合と比較して少ないフレーム画像数で立体視を実現できる。よって、１サイクルの間に表示するフレーム画像数の増加を抑えることにより、ユーザが右目・左目共に映像を観察しない時間の増加を抑えることができるため、動きのなめらかな映像の表示が可能となる。また、副画像はシャッタ眼鏡の傾きに応じて生成されるため、ユーザそれぞれの視聴環境にあった映像を観察できる。更に、同じ傾き角情報がある場合には生成する副画像の数がユーザの人数分より少なくなるので、副画像生成の負荷の軽減と動きのなめらかな映像の表示とを実現することができる。
【符号の説明】
【００４０】
１０２  表示制御部
１０３  シャッタ制御部
１０４  信号送信部
１２１、１２２、１２３  傾き検知部
１３１、１３２、１３３  副画像生成部
４０１  傾き比較部
【図１】
2011146869.tif 000003
【図２】
2011146869.tif 000004
【図３】
2011146869.tif 000005
【図４】
2011146869.tif 000006
【図５】
2011146869.tif 000007
【図６】
2011146869.tif 000008
【図７】
2011146869.tif 000009